(57)【要約】      （修正有）【課題】実際の利用者に適した広告を印刷する可能性を向上することができる広告印刷システムおよび広告印刷プログラムを提供する。【解決手段】広告印刷システムにおける画像形成装置２０は、広告を表示する広告表示部２９ｂと、広告表示部によって表示されている広告に対する利用者による注目度を利用者の視線に基づいて判定する注目度判定部２９ｄと、注目度判定部によって判定された注目度に応じて広告を印刷する広告印刷部２９ｅとを備える。【選択図】図２
2020123187.tif 000002
【特許請求の範囲】
【請求項１】
広告を表示する広告表示部と、
前記広告表示部によって表示されている前記広告に対する利用者による注目度を利用者の視線に基づいて判定する注目度判定部と、
前記注目度判定部によって判定された前記注目度に応じて前記広告を印刷する広告印刷部と
を備えることを特徴とする広告印刷システム。
【請求項２】
前記広告表示部は、表示する優先度が高い前記広告ほど、前記広告印刷部による過去の印刷頻度が高くなるように、前記広告を表示することを特徴とする請求項１に記載の広告印刷システム。
【請求項３】
撮影デバイスと、
前記撮影デバイスによって撮影された利用者の画像に基づいて利用者の属性を取得する属性取得部と、
前記広告と、前記属性とを関連付けた広告情報を管理する広告情報管理部と
を備え、
前記広告表示部は、前記属性取得部によって取得された前記属性に前記広告情報において関連付けられている前記広告を表示することを特徴とする請求項１または請求項２に記載の広告印刷システム。
【請求項４】
前記広告印刷部は、印刷サイズが大きいほど、前記注目度判定部によって判定された前記注目度が高くなるように、前記広告の印刷サイズを決定することを特徴とする請求項１から請求項３までのいずれかに記載の広告印刷システム。
【請求項５】
広告を表示する広告表示部と、
前記広告表示部によって表示されている前記広告に対する利用者による注目度を利用者の視線に基づいて判定する注目度判定部と、
前記注目度判定部によって判定された前記注目度に応じて前記広告を印刷する広告印刷部と
を画像形成装置に実現させることを特徴とする広告印刷プログラム。
【発明の詳細な説明】
【技術分野】
【０００１】
本発明は、広告を印刷する広告印刷システムおよび広告印刷プログラムに関する。
【背景技術】
【０００２】
従来、広告を印刷する広告印刷システムとして、利用者の属性に応じた広告を印刷するものが知られている（例えば、特許文献１参照。）。
【先行技術文献】
【特許文献】
【０００３】
【特許文献１】特開２０１７−１９４８４６号公報
【発明の概要】
【発明が解決しようとする課題】
【０００４】
しかしながら、従来の広告印刷システムにおいては、実際の利用者に適した広告を印刷することができない場合があるという問題がある。
【０００５】
そこで、本発明は、実際の利用者に適した広告を印刷する可能性を向上することができる広告印刷システムおよび広告印刷プログラムを提供することを目的とする。
【課題を解決するための手段】
【０００６】
本発明の広告印刷システムは、広告を表示する広告表示部と、前記広告表示部によって表示されている前記広告に対する利用者による注目度を利用者の視線に基づいて判定する注目度判定部と、前記注目度判定部によって判定された前記注目度に応じて前記広告を印刷する広告印刷部とを備えることを特徴とする。
【０００７】
この構成により、本発明の広告印刷システムは、表示している広告に対する利用者による注目度を利用者の視線に基づいて判定し、判定した注目度に応じて広告を印刷するので、利用者による注目度が高い広告を印刷することができる。したがって、本発明の広告印刷システムは、実際の利用者に適した広告を印刷する可能性を向上することができる。
【０００８】
本発明の広告印刷システムにおいて、前記広告表示部は、表示する優先度が高い前記広告ほど、前記広告印刷部による過去の印刷頻度が高くなるように、前記広告を表示しても良い。
【０００９】
この構成により、本発明の広告印刷システムは、過去の印刷頻度が高い広告、すなわち、過去において注目度が高かった広告を優先的に表示するので、注目度が高い広告を印刷する可能性を向上することができる。
【００１０】
本発明の広告印刷システムは、撮影デバイスと、前記撮影デバイスによって撮影された利用者の画像に基づいて利用者の属性を取得する属性取得部と、前記広告と、前記属性とを関連付けた広告情報を管理する広告情報管理部とを備え、前記広告表示部は、前記属性取得部によって取得された前記属性に前記広告情報において関連付けられている前記広告を表示しても良い。
【００１１】
この構成により、本発明の広告印刷システムは、撮影デバイスによって撮影された利用者の画像に基づいて利用者の属性を取得し、取得した属性に応じた広告を表示するので、利用者が登録されていなくても、利用者に適した広告を印刷する可能性を向上することができる。
【００１２】
本発明の広告印刷システムにおいて、前記広告印刷部は、印刷サイズが大きいほど、前記注目度判定部によって判定された前記注目度が高くなるように、前記広告の印刷サイズを決定しても良い。
【００１３】
この構成により、本発明の広告印刷システムは、注目度が高い広告を大きいサイズで印刷するので、広告の効果を向上することができる。
【００１４】
本発明の広告印刷プログラムは、広告を表示する広告表示部と、前記広告表示部によって表示されている前記広告に対する利用者による注目度を利用者の視線に基づいて判定する注目度判定部と、前記注目度判定部によって判定された前記注目度に応じて前記広告を印刷する広告印刷部とを画像形成装置に実現させることを特徴とする。
【００１５】
この構成により、本発明の広告印刷プログラムを実行する画像形成装置は、表示している広告に対する利用者による注目度を利用者の視線に基づいて判定し、判定した注目度に応じて広告を印刷するので、利用者による注目度が高い広告を印刷することができる。したがって、本発明の広告印刷プログラムを実行する画像形成装置は、実際の利用者に適した広告を印刷する可能性を向上することができる。
【発明の効果】
【００１６】
本発明の広告印刷システムおよび広告印刷プログラムは、実際の利用者に適した広告を印刷する可能性を向上することができる。
【図面の簡単な説明】
【００１７】
【図１】本発明の一実施の形態に係る広告印刷システムのブロック図である。
【図２】ＭＦＰである場合の図１に示す画像形成装置のブロック図である。
【図３】図２に示す広告テーブルの一例を示す図である。
【図４】図２に示す利用者認証設定情報の一例を示す図である。
【図５】印刷する広告を決定する場合の図２に示す画像形成装置の動作の一部のフローチャートである。
【図６】図５に示すフローチャートの続きのフローチャートである。
【図７】印刷を実行する場合の図２に示す画像形成装置の動作のフローチャートである。
【発明を実施するための形態】
【００１８】
以下、本発明の実施の形態について、図面を用いて説明する。
【００１９】
まず、本発明の一実施の形態に係る広告印刷システムの構成について説明する。
【００２０】
図１は、本実施の形態に係る広告印刷システム１０のブロック図である。
【００２１】
図１に示すように、広告印刷システム１０は、画像形成装置２０を備えている。広告印刷システム１０は、画像形成装置２０以外にも、画像形成装置２０と同様の構成の画像形成装置を少なくとも１つ備えることが可能である。広告印刷システム１０における画像形成装置は、例えば、ＭＦＰ（Ｍｕｌｔｉｆｕｎｃｔｉｏｎ  Ｐｅｒｉｐｈｅｒａｌ）、コピー専用機、プリンター専用機などによって構成されている。
【００２２】
広告印刷システム１０は、例えば利用者の年齢、性別など、利用者の属性（以下「利用者属性」という。）を判定する利用者属性判定システム３０を備えている。利用者属性判定システム３０は、１台のコンピューターによって構成されても良いし、複数台のコンピューターによって構成されても良い。
【００２３】
広告印刷システム１０は、利用者を認証する利用者認証システム４０を備えている。利用者認証システム４０は、利用者を認証するための認証用情報を利用者毎に示す認証用情報リスト４１と、利用者属性を利用者毎に示す利用者属性リスト４２とを記憶している。利用者認証システム４０は、１台のコンピューターによって構成されても良いし、複数台のコンピューターによって構成されても良い。
【００２４】
広告印刷システム１０は、広告を管理する広告管理システム５０を備えている。広告管理システム５０は、広告５１を記憶している。広告管理システム５０は、広告５１以外にも、少なくとも１つの広告を記憶することが可能である。広告管理システム５０は、例えばスポーツのカテゴリー、食品のカテゴリーなど、広告のカテゴリー（以下「広告カテゴリー」という。）毎に、広告を記憶している。広告管理システム５０は、１台のコンピューターによって構成されても良いし、複数台のコンピューターによって構成されても良い。
【００２５】
広告印刷システム１０は、利用者の視線を判定する視線判定システム６０を備えている。視線判定システム６０は、１台のコンピューターによって構成されても良いし、複数台のコンピューターによって構成されても良い。
【００２６】
画像形成装置と、利用者属性判定システム３０、利用者認証システム４０、広告管理システム５０および視線判定システム６０とは、ＬＡＮ（Ｌｏｃａｌ  Ａｒｅａ  Ｎｅｔｗｏｒｋ）、インターネットなどのネットワークを介して互いに通信可能である。
【００２７】
図２は、ＭＦＰである場合の画像形成装置２０のブロック図である。
【００２８】
図２に示す画像形成装置２０は、種々の操作が入力される例えばボタンなどの操作デバイスである操作部２１と、種々の情報を表示する例えばＬＣＤ（Ｌｉｑｕｉｄ  Ｃｒｙｓｔａｌ  Ｄｉｓｐｌａｙ）などの表示デバイスである表示部２２と、撮影デバイスであるカメラ２３と、用紙などの記録媒体に画像を印刷する印刷デバイスであるプリンター２４と、原稿から画像を読み取る読取デバイスであるスキャナー２５と、図示していない外部のファクシミリ装置と公衆電話回線などの通信回線経由でファックス通信を行うファックスデバイスであるファックス通信部２６と、ＬＡＮ、インターネットなどのネットワーク経由で、または、ネットワークを介さずに有線または無線によって直接に、外部の装置と通信を行う通信デバイスである通信部２７と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２８と、画像形成装置２０全体を制御する制御部２９とを備えている。
【００２９】
記憶部２８は、広告を印刷するための広告印刷プログラム２８ａを記憶している。広告印刷プログラム２８ａは、例えば、画像形成装置２０の製造段階で画像形成装置２０にインストールされていても良いし、例えばＵＳＢ（Ｕｎｉｖｅｒｓａｌ  Ｓｅｒｉａｌ  Ｂｕｓ）メモリーなどの外部の記憶媒体から画像形成装置２０に追加でインストールされても良いし、ネットワーク上から画像形成装置２０に追加でインストールされても良い。
【００３０】
記憶部２８は、広告と、利用者属性とを関連付けた広告情報としての広告テーブル２８ｂを記憶している。
【００３１】
図３は、広告テーブル２８ｂの一例を示す図である。
【００３２】
図３に示す広告テーブル２８ｂは、広告カテゴリーと、利用者属性と、広告カテゴリーに含まれる広告の識別情報と、広告毎の印刷頻度とを互いに関連付けて含んでいる。例えば、図３に示す例では、２０歳以上２９歳以下の男性には、広告カテゴリーとしてスポーツのカテゴリーが関連付けられていて、識別情報「Ｓ−１」の広告に印刷頻度として「１００」が関連付けられている。なお、後述の広告情報管理部２９ａは、いずれの広告カテゴリーにいずれの広告が含まれているかについて、広告管理システム５０が管理している広告と広告テーブル２８ｂを同期させる。
【００３３】
図２に示すように、記憶部２８は、利用者の認証に関する設定を示す利用者認証設定情報２８ｃを記憶している。
【００３４】
図４は、利用者認証設定情報２８ｃの一例を示す図である。
【００３５】
図４に示す利用者認証設定情報２８ｃは、利用者が画像形成装置２０を使用する場合に利用者の認証が必要か否かを示す利用者認証要否情報と、利用者が画像形成装置２０を使用する場合に利用者の認証が必要であるときに、ゲストユーザーによる画像形成装置２０の使用を許可するか否かを示すゲスト使用許否情報とを含んでいる。制御部２９は、操作部２１または通信部２７を介した指示に応じて利用者認証設定情報２８ｃを更新することが可能である。
【００３６】
図２に示す制御部２９は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部２９のＣＰＵの作業領域として用いられるメモリーとしてのＲＡＭ（Ｒａｎｄｏｍ  Ａｃｃｅｓｓ  Ｍｅｍｏｒｙ）とを備えている。制御部２９のＣＰＵは、記憶部２８または制御部２９のＲＯＭに記憶されているプログラムを実行する。
【００３７】
制御部２９は、広告印刷プログラム２８ａを実行することによって、広告テーブル２８ｂを管理する広告情報管理部２９ａと、広告を表示する広告表示部２９ｂと、カメラ２３によって撮影された利用者の画像に基づいて利用者の属性を取得する属性取得部２９ｃと、広告表示部２９ｂによって表示されている広告に対する利用者による注目度を利用者の視線に基づいて判定する注目度判定部２９ｄと、注目度判定部２９ｄによって判定された注目度に応じて広告を印刷する広告印刷部２９ｅとを実現する。
【００３８】
次に、広告印刷システム１０の動作について説明する。
【００３９】
まず、画像形成装置２０によって印刷される広告を決定する場合の広告印刷システム１０の動作について説明する。
【００４０】
図５および図６は、印刷する広告を決定する場合の画像形成装置２０の動作のフローチャートである。
【００４１】
図５および図６に示すように、画像形成装置２０の広告表示部２９ｂは、利用者が画像形成装置２０を使用する場合に利用者の認証が必要であるか否かを利用者認証設定情報２８ｃの利用者認証要否情報に基づいて判断する（Ｓ１０１）。
【００４２】
広告表示部２９ｂは、利用者の認証が必要ではないとＳ１０１において判断すると、操作部２１を介して操作されたか否かを判断する（Ｓ１０２）。ここで、利用者は、操作部２１を介して画像形成装置２０を操作することができる。
【００４３】
広告表示部２９ｂは、操作部２１を介して操作されていないとＳ１０２において判断すると、Ｓ１０１の処理を実行する。
【００４４】
広告表示部２９ｂは、利用者の認証が必要であるとＳ１０１において判断すると、ゲストユーザーによる画像形成装置２０の使用を許可するか否かを利用者認証設定情報２８ｃのゲスト使用許否情報に基づいて判断する（Ｓ１０３）。
【００４５】
広告表示部２９ｂは、ゲストユーザーによる画像形成装置２０の使用を許可するとＳ１０３において判断すると、ゲストユーザーによるログインが操作部２１を介して指示されたか否かを判断する（Ｓ１０４）。
【００４６】
属性取得部２９ｃは、操作部２１を介して操作されたとＳ１０２において判断されるか、ゲストユーザーによるログインが指示されたとＳ１０４において判断されると、カメラ２３によって撮影された画像に基づいた利用者属性の判定を利用者属性判定システム３０に依頼する（Ｓ１０５）。利用者属性判定システム３０は、画像形成装置２０から利用者属性の判定が依頼されると、画像形成装置２０から送信されてきた画像に基づいて、利用者属性を判定する。例えば、利用者属性判定システム３０は、画像に含まれる利用者の顔を認識し、認識した顔に基づいて、利用者の年齢、性別などを判定する。この判定の技術としては、公知の任意の技術が採用されることが可能である。利用者属性判定システム３０は、利用者属性を判定すると、判定結果を画像形成装置２０に送信する。なお、属性取得部２９ｃは、操作部２１を介して操作されたとＳ１０２において判断されるか、ゲストユーザーによるログインが指示されたとＳ１０４において判断された後、後述の図７に示す動作を実行するための指示（以下「印刷指示」という。）を広告印刷部２９ｅが受けてから、Ｓ１０５の処理を実行しても良い。
【００４７】
画像形成装置２０の属性取得部２９ｃは、Ｓ１０５の処理の後、利用者属性判定システム３０から判定結果を受信したと判断するまで、利用者属性判定システム３０から判定結果を受信したか否かを判断する（Ｓ１０６）。
【００４８】
広告表示部２９ｂは、利用者属性判定システム３０から判定結果を受信したとＳ１０６において判断されると、表示部２２に表示する広告（以下「表示対象の広告」という。）を、利用者属性判定システム３０から受信した判定結果としての利用者属性と、広告テーブル２８ｂとに基づいて選定する（Ｓ１０７）。ここで、広告表示部２９ｂは、利用者属性判定システム３０から受信した利用者属性に広告テーブル２８ｂにおいて関連付けられている広告カテゴリーの広告のうち、広告テーブル２８ｂにおいて関連付けられている印刷頻度が高い広告ほど、表示対象の広告として選定する確率を高くしても良い。また、広告表示部２９ｂは、Ｓ１０７において、広告を１つのみ選定しても良いし、複数選定しても良い。なお、広告表示部２９ｂは、Ｓ１０７において選定する広告の数を、操作部２１または通信部２７を介した指示に応じて、事前に設定されることが可能である。
【００４９】
広告表示部２９ｂは、ゲストユーザーによる画像形成装置２０の使用を許可しないとＳ１０３において判断するか、ゲストユーザーによるログインが指示されていないとＳ１０４において判断すると、ゲストユーザーではない、通常の利用者によるログインが操作部２１を介して指示されたか否かを判断する（Ｓ１０８）。
【００５０】
広告表示部２９ｂは、通常の利用者によるログインが指示されていないとＳ１０８において判断すると、Ｓ１０１の処理を実行する。
【００５１】
属性取得部２９ｃは、通常の利用者によるログインが指示されたとＳ１０８において判断されると、操作部２１を介して入力された認証用情報を利用者認証システム４０に送信することによって、利用者認証システム４０に利用者の認証を依頼する（Ｓ１０９）。利用者認証システム４０は、画像形成装置２０から利用者の認証が依頼されると、画像形成装置２０から送信されてきた認証用情報と、認証用情報リスト４１とに基づいて、利用者の認証を実行する。利用者認証システム４０は、利用者の認証が失敗した場合には、利用者の認証が失敗した旨を示す認証結果を画像形成装置２０に送信する。一方、利用者認証システム４０は、利用者の認証が成功した場合には、認証した利用者属性を利用者属性リスト４２に基づいて特定し、利用者の認証が成功した旨と、特定した利用者属性とを含む認証結果を画像形成装置２０に送信する。
【００５２】
画像形成装置２０の属性取得部２９ｃは、Ｓ１０９の処理の後、利用者認証システム４０から認証結果を受信したと判断するまで、利用者認証システム４０から認証結果を受信したか否かを判断する（Ｓ１１０）。
【００５３】
属性取得部２９ｃは、利用者認証システム４０から認証結果を受信したとＳ１１０において判断すると、利用者の認証が成功したか否かを、利用者認証システム４０から受信した認証結果に基づいて判断する（Ｓ１１１）。
【００５４】
属性取得部２９ｃは、利用者の認証が失敗したとＳ１１１において判断すると、利用者の認証が失敗した旨を表示部２２に表示する（Ｓ１１２）。制御部２９は、Ｓ１１２の処理の後、Ｓ１０１の処理を実行する。
【００５５】
広告表示部２９ｂは、利用者の認証が成功したとＳ１１１において判断されると、表示対象の広告を、利用者認証システム４０から受信した認証結果に含まれる利用者属性と、広告テーブル２８ｂとに基づいて選定する（Ｓ１１３）。ここで、広告表示部２９ｂは、利用者属性判定システム３０から受信した利用者属性に広告テーブル２８ｂにおいて関連付けられている広告カテゴリーの広告のうち、広告テーブル２８ｂにおいて関連付けられている印刷頻度が高い広告ほど、表示対象の広告として選定する確率を高くしても良い。また、広告表示部２９ｂは、Ｓ１１３において、広告を１つのみ選定しても良いし、複数選定しても良い。なお、広告表示部２９ｂは、Ｓ１１３において選定する広告の数を、操作部２１または通信部２７を介した指示に応じて、事前に設定されることが可能である。広告表示部２９ｂは、利用者の認証が成功したとＳ１１１において判断された後、後述の図７に示す動作を実行するための印刷指示を広告印刷部２９ｅが受けてから、Ｓ１１３の処理を実行しても良い。
【００５６】
広告表示部２９ｂは、Ｓ１０７またはＳ１１３の処理が終了すると、Ｓ１０７またはＳ１１３において選定した広告を、広告管理システム５０から取得して（Ｓ１１４）、Ｓ１１４において取得した広告を表示部２２に表示することを開始する（Ｓ１１５）。なお、広告表示部２９ｂは、Ｓ１１５において開始された表示の終了時期を、操作部２１または通信部２７を介した指示に応じて、事前に設定されることが可能である。例えば、Ｓ１１５において開始された表示の終了時期は、後述する図７に示す動作の実行前でも良いし、図７に示す動作の実行中以降でも良い。
【００５７】
広告表示部２９ｂは、Ｓ１１４において複数の広告を取得した場合、Ｓ１１４において取得した複数の広告をスライドショー形式で表示部２２に表示しても良いし、Ｓ１１４において取得した複数の広告を１画面に収めて表示部２２に表示しても良い。広告表示部２９ｂは、複数の広告をスライドショー形式で表示部２２に表示する場合、表示の終了時期まで、表示対象の全ての広告のスライドショー形式での表示を繰り返す。なお、広告表示部２９ｂは、複数の広告をスライドショー形式で表示するか、１画面に収めて表示するかを、操作部２１または通信部２７を介した指示に応じて、事前に設定されることが可能である。
【００５８】
注目度判定部２９ｄは、Ｓ１１５の処理の後、視線判定システム６０に利用者の視線の判定を依頼する（Ｓ１１６）。ここで、注目度判定部２９ｄは、カメラ２３によって撮影された画像を視線判定システム６０に送信することを開始する。視線判定システム６０は、画像形成装置２０から利用者の視線の判定が依頼されると、画像形成装置２０から送信されてきた画像に基づいて、画像に含まれる利用者の視線を判定し、判定結果を画像形成装置２０に送信し続ける。なお、視線判定システム６０による視線の判定の技術としては、公知の任意の技術が採用されることが可能である。
【００５９】
画像形成装置２０の注目度判定部２９ｄは、Ｓ１１６の処理の後、視線判定システム６０から受信する判定結果に基づいて、利用者による広告に対する注目度を判定する（Ｓ１１７）。ここで、注目度判定部２９ｄは、表示部２２に表示された広告のうち、例えば数秒以上など、特定の時間以上、利用者が見た広告を、注目度が高い広告として判定しても良い。また、注目度判定部２９ｄは、利用者が見た時間の長さに応じて、利用者による広告に対する注目度を３段階以上区別して判定しても良い。注目度を判定するための時間の閾値は、操作部２１または通信部２７を介した指示に応じて設定されることが可能である。
【００６０】
広告印刷部２９ｅは、Ｓ１１７の処理の後、Ｓ１１７において判定された注目度に、特定の注目度以上の注目度が存在したか否かを判断する（Ｓ１１８）。
【００６１】
広告印刷部２９ｅは、特定の注目度以上の注目度が存在したとＳ１１８において判断すると、Ｓ１１４において取得した、表示対象の広告の中から、Ｓ１１７において判定された注目度に応じて、印刷対象の広告を決定する（Ｓ１１９）。ここで、広告印刷部２９ｅは、Ｓ１１７において判定した注目度が最も高い１つの広告を印刷対象の広告として決定しても良いし、Ｓ１１７において判定された注目度が互い順に複数の広告を印刷対象の広告として決定しても良い。なお、広告印刷部２９ｅは、Ｓ１１９において決定する広告の数を、操作部２１または通信部２７を介した指示に応じて、事前に設定されることが可能である。
【００６２】
広告印刷部２９ｅは、特定の注目度以上の注目度が存在しなかったとＳ１１８において判断すると、Ｓ１１４において取得した、表示対象の広告ではない広告を、印刷対象の広告として決定し（Ｓ１２０）、Ｓ１２０において決定した広告を広告管理システム５０から取得する（Ｓ１２１）。ここで、広告印刷部２９ｅは、利用者属性判定システム３０または利用者認証システム４０から受信した利用者属性に広告テーブル２８ｂにおいて関連付けられている広告カテゴリーとは異なる広告カテゴリーの広告をランダムにＳ１２０において決定しても良いし、利用者属性判定システム３０から受信した利用者属性に広告テーブル２８ｂにおいて関連付けられている広告カテゴリーの広告のうち、利用者属性判定システム３０から受信した利用者属性に広告テーブル２８ｂにおいて関連付けられている印刷頻度が１以上の広告の最新バージョンの広告をランダムにＳ１２０において決定しても良い。
【００６３】
広告印刷部２９ｅは、Ｓ１１９またはＳ１２１の処理の後、図５および図６に示す動作を終了する。
【００６４】
次に、印刷を実行する場合の画像形成装置２０の動作について説明する。
【００６５】
図７は、印刷を実行する場合の画像形成装置２０の動作のフローチャートである。
【００６６】
広告印刷部２９ｅは、操作部２１を介した指示に応じて、図７に示す動作を実行する。広告印刷部２９ｅは、図７に示す動作を実行するための印刷指示を、いずれのタイミングで受け付けても良い。例えば、広告印刷部２９ｅは、操作部２１を介して操作されたとＳ１０２において判断するか、ゲストユーザーによるログインが指示されたとＳ１０４において判断された後、印刷指示を受け付けても良いし、利用者の認証が成功したとＳ１１１において判断された後、印刷指示を受け付けても良い。印刷指示は、例えば、スキャナー２５によって原稿から読み取られた画像をプリンター２４によって記録媒体に印刷する機能、すなわち、コピー機能の実行の指示でも良いし、記憶部２８または画像形成装置２０の外部の記憶媒体に記憶されているデータに基づいた画像の印刷の実行の指示でも良い。
【００６７】
図７に示すように、広告印刷部２９ｅは、図５および図６に示す動作において決定した広告を含む画像を記録媒体に印刷する（Ｓ１３１）。
【００６８】
広告印刷部２９ｅは、図５および図６に示す動作において決定した広告を、記録媒体において本来の印刷対象の画像を印刷する領域とは別の領域にＳ１３１において印刷する。例えば、広告印刷部２９ｅは、本来の印刷対象の画像を記録媒体の表面に印刷して、図５および図６に示す動作において決定した広告を記録媒体の裏面に印刷しても良い。また、広告印刷部２９ｅは、記録媒体において本来の印刷対象の画像を印刷する面のうち、本来の印刷対象の画像を印刷しない空きスペースに、図５および図６に示す動作において決定した広告を印刷しても良い。なお、本来の印刷対象の画像とは、例えば、コピー機能が実行される場合には、スキャナー２５によって原稿から読み取られた画像であり、記憶部２８または画像形成装置２０の外部の記憶媒体に記憶されているデータに基づいた画像の印刷が実行される場合には、記憶部２８または画像形成装置２０の外部の記憶媒体に記憶されているデータに基づいた画像である。
【００６９】
広告印刷部２９ｅは、Ｓ１１９において複数の広告を印刷対象の広告として決定した場合、印刷サイズが大きいほど、Ｓ１１７において判定した注目度が高くなるように、Ｓ１３１において印刷する広告の印刷サイズを決定しても良い。この構成により、広告印刷システム１０は、注目度が高い広告を大きいサイズで印刷するので、広告の効果を向上することができる。
【００７０】
広告印刷部２９ｅは、Ｓ１１９において複数の広告を印刷対象の広告として決定した場合、複数の頁に広告を印刷するとき、印刷された広告が互いに異なる複数の頁が存在するように、Ｓ１３１における印刷を実行しても良い。
【００７１】
なお、広告印刷部２９ｅは、複数の広告を記録媒体に印刷する場合、いずれかの広告を印刷対象の広告としてＳ１３１において印刷している最中以降に、印刷対象の広告として他の広告が図５および図６に示す動作において決定されても良い。
【００７２】
広告情報管理部２９ａは、Ｓ１３１の処理の後、図５および図６に示す動作において表示対象とされた広告をＳ１３１において印刷したか否かを判断する（Ｓ１３２）。
【００７３】
広告情報管理部２９ａは、図５および図６に示す動作において表示対象とされた広告をＳ１３１において印刷したとＳ１３２において判断すると、Ｓ１３１において印刷した広告に関して、今回の処理対象の利用者の利用者属性に広告テーブル２８ｂにおいて関連付けられている印刷頻度を１増加させるように、広告テーブル２８ｂを更新する（Ｓ１３３）。
【００７４】
広告情報管理部２９ａは、図５および図６に示す動作において表示対象とされた広告をＳ１３１において印刷していないとＳ１３２において判断するか、Ｓ１３３の処理の後、図７に示す動作を終了する。
【００７５】
以上に説明したように、広告印刷システム１０は、表示している広告に対する利用者による注目度を利用者の視線に基づいて判定し（Ｓ１１７）、判定した注目度に応じて広告を印刷する（Ｓ１３１）ので、利用者による注目度が高い広告を印刷することができる。したがって、広告印刷システム１０は、実際の利用者に適した広告を印刷する可能性を向上することができる。
【００７６】
広告印刷システム１０は、表示する優先度が高い広告ほど、広告テーブル２８ｂにおける過去の印刷頻度が高くなるように、広告を表示する（Ｓ１０７およびＳ１１３〜Ｓ１１５）。この構成により、広告印刷システム１０は、過去の印刷頻度が高い広告、すなわち、過去において注目度が高かった広告を優先的に表示するので、注目度が高い広告を印刷する可能性を向上することができる。
【００７７】
広告印刷システム１０は、カメラ２３によって撮影された利用者の画像に基づいて利用者の利用者属性を取得し（Ｓ１０６でＹＥＳ）、取得した利用者属性に応じた広告を表示する（Ｓ１０７およびＳ１１４〜Ｓ１１５）ので、利用者が利用者認証システム４０に登録されていなくても、利用者に適した広告を印刷する可能性を向上することができる。
【００７８】
なお、広告表示部２９ｂは、Ｓ１３１の印刷動作の実行中にも複数の広告をスライドショー形式で表示部２２に表示する場合、スライドショー形式で表示部２２に表示する広告の数を、特定の数に到達するまで、Ｓ１３１の印刷動作の実行時間の増加に応じて増加させても良い。
【００７９】
広告印刷システム１０は、本実施の形態においてカメラを画像形成装置に備えている。しかしながら、広告印刷システム１０は、カメラを画像形成装置とは別の装置として備えても良い。
【００８０】
本実施の形態における画像形成装置によって実現される各種の機能の一部は、画像形成装置の外部の、１台または複数台のコンピューターによって構成されるシステムによって実現されても良い。
【００８１】
広告印刷システム１０は、利用者属性判定システム３０、利用者認証システム４０、広告管理システム５０および視線判定システム６０を別々に備えている。しかしながら、利用者属性判定システム３０、利用者認証システム４０、広告管理システム５０および視線判定システム６０の少なくとも２つは、それぞれを構成するコンピューターの少なくとも一部が共通でも良い。
【００８２】
広告印刷システム１０は、利用者属性判定システム３０、利用者認証システム４０、広告管理システム５０および視線判定システム６０を画像形成装置とは別に備えている。しかしながら、利用者属性判定システム３０、利用者認証システム４０、広告管理システム５０および視線判定システム６０の少なくとも１つは、画像形成装置によって実現されても良い。
【符号の説明】
【００８３】
１０  広告印刷システム
２０  画像形成装置
２３  カメラ（撮影デバイス）
２８ａ  広告印刷プログラム
２８ｂ  広告テーブル（広告情報）
２９ａ  広告情報管理部
２９ｂ  広告表示部
２９ｃ  属性取得部
２９ｄ  注目度判定部
２９ｅ  広告印刷部
【図１】
2020123187.tif 000003
【図２】
2020123187.tif 000004
【図３】
2020123187.tif 000005
【図４】
2020123187.tif 000006
【図５】
2020123187.tif 000007
【図６】
2020123187.tif 000008
【図７】
2020123187.tif 000009